(57)【要約】  本特許出願は、初期治療後の再発性乳癌疾患が起こらなかった原発性腫瘍乳癌細胞と初期治療後に再発性乳癌疾患が起こった原発性乳癌細胞の間で差別的に発現されることが見出されたタンパク質を開示し、記載する。これらのタンパク質は、個々にまたは特定の組み合わせで、診断および予後タンパク質アッセイにおいて乳癌患者由来の生物試料に対し使用することができ、乳癌患者の癌が初期診断および治療後に再発する可能性があることを示し得る。これらのタンパク質の差別的発現の決定はまた、再発性乳癌の可能性と闘う追加の療法を示すのに有用となり得る。無傷の全長タンパク質をアッセイすることができ、またはこれらのタンパク質のためのレポーターとして、これらのタンパク質に由来するペプチドをアッセイすることができる。これらのタンパク質はまた、「コンパニオン診断」タンパク質として同定することができ、ここで、診断および予後指標として使用される差別的に発現されたタンパク質はまた、乳癌の治療介入のための標的として使用することができる。タンパク質由来のペプチドの同位体標識バージョンもまた、本明細書で開示され、記載される。【特許請求の範囲】
【請求項１】
下記工程を含む、早期原発性乳癌が、初期治療後の患者において再発し得ることを予後判定する方法：
ａ）ヒト患者由来の試料中の表１に列挙されるタンパク質の少なくとも１つ以上、少なくとも２つ以上、少なくとも３つ以上、または複数および組み合わせの発現レベルを測定する工程であって、前記試料は、乳癌組織、乳癌細胞、または前記患者の乳癌前記試料由来のタンパク質を含有する体液、例えば血液もしくは腹水を含む、工程；および
ｂ）非再発性乳癌における表１に列挙されるタンパク質の前記少なくとも１つ以上、少なくとも２つ以上、少なくとも３つ以上、または複数および組み合わせの発現レベルと比較した場合の、再発性乳癌における表１に列挙されるタンパク質の前記少なくとも１つ以上、少なくとも２つ以上、少なくとも３つ以上、または複数および組み合わせの発現の増加および／または減少を決定し、原発性乳癌が前記患者において再発する傾向がより強いという可能性を示す工程。
【請求項２】
前記乳癌試料が乳房上皮細胞から本質的に構成される、請求項１に記載の方法。
【請求項３】
前記体液は、分画または非分画の血液、血清、血漿、リンパ液、または胸水貯留により採取された流体を含むが、これらに限定されない、請求項１に記載の方法。
【請求項４】
前記組織は生検または外科的処置により採取される、請求項１に記載の方法。
【請求項５】
前記組織は化学的に固定され、保存される、請求項４に記載の方法。
【請求項６】
前記化学的固定および保存はホルマリン固定およびパラフィン包埋を含む、請求項５に記載の方法。
【請求項７】
前記組織は凍結される、請求項４に記載の方法。
【請求項８】
前記タンパク質は、無傷な、全長タンパク質として測定され、または無傷な、全長タンパク質の断片化により得られる複数のまたは個々のペプチドを測定することにより測定される、請求項１に記載の方法。
【請求項９】
前記タンパク質は質量分析により検出され、前記タンパク質の測定発現レベルは、前記質量分析後のスペクトルカウント定量化により決定される、請求項１〜８のいずれか一項に記載の方法。
【請求項１０】
前記タンパク質は質量分析により検出され、前記タンパク質の測定発現レベルは、選択反応モニタリング（ＳＲＭ）アッセイにより決定される、請求項１〜８のいずれか一項に記載の方法。
【請求項１１】
前記タンパク質は質量分析により検出され、前記タンパク質の測定発現レベルは、多重反応モニタリング（ＭＲＭ）アッセイと呼ばれるマルチプレックスＳＲＭアッセイにより決定され、この場合、１つを超えるタンパク質が単一の質量分析において検出され、定量化される、請求項１〜８のいずれか一項に記載の方法。
【請求項１２】
前記質量分析は、ＬＣ−ＥＳＩ−ＭＳ／ＭＳ、ＭＡＬＤＩ−ＭＳ、タンデムＭＳ、ＴＯＦ／ＴＯＦ、ＴＯＦ−ＭＳ、ＴＯＦ−ＭＳ／ＭＳ、三連四重極型ＭＳ、および三連四重極型ＭＳ／ＭＳからなる群より選択される、請求項８に記載の方法。
【請求項１３】
前記質量分析は液体クロマトグラフィー−タンデム質量分析を含む、請求項１２に記載の方法。
【請求項１４】
タンパク質マイクロアレイまたはイムノアッセイにより、前記タンパク質は検出され、それらの発現レベルが決定される、請求項１〜８のいずれか一項に記載の方法。
【請求項１５】
前記イムノアッセイは、免疫組織化学、Ｗｅｓｔｅｒｎブロット、ドットブロット、およびＥＬＩＳＡからなる群より選択される、請求項１４に記載の方法。
【請求項１６】
下記工程を含む、初期治療後に再発する傾向の最も強い原発性乳癌の療法の選択を示す方法：
ａ）ヒト患者由来の試料中の表１に列挙されるタンパク質の少なくとも１つ以上、少なくとも２つ以上、少なくとも３つ以上、または複数および組み合わせの存在を検出し、その発現レベルを測定する工程であって、前記試料は、乳癌組織、乳癌細胞、または前記患者の乳癌前記試料由来のタンパク質を含有する体液、例えば血液もしくは腹水を含む、工程；および
ｂ）非再発性乳癌における表１に列挙されるタンパク質の前記少なくとも１つ以上、少なくとも２つ以上、少なくとも３つ以上、または複数および組み合わせの発現レベルと比較した場合の、再発性乳癌における表１に列挙されるタンパク質の前記少なくとも１つ以上、少なくとも２つ以上、少なくとも３つ以上、または複数および組み合わせの発現の増加および／または減少を決定し、原発性乳癌が前記患者において再発する傾向がより強いという可能性を示す工程。
【請求項１７】
表１の１つ以上、２つ以上、３つ以上、４つ以上、５つ以上、６つ以上、７つ以上、または８つ以上のタンパク質またはそれらのペプチド断片の量を定量化することを含む、方法。
【請求項１８】
表１の１つ以上、２つ以上、３つ以上、４つ以上、５つ以上、６つ以上、７つ以上、８つ以上、もしくは１０以上のタンパク質、それらのペプチド、またはそれらに対する抗体を含む組成物。
【請求項１９】
表１のタンパク質の１つ以上、２つ以上、３つ以上、４つ以上、５つ以上、６つ以上、７つ以上、または８つ以上のペプチドを含み、各ペプチドは異なるタンパク質に由来する、請求項１８に記載の組成物。
【請求項２０】
前記ペプチドの各々は下記からなる群より独立して選択される１つ以上の同位体で標識される、請求項１９に記載の組成物：１８Ｏ、１７Ｏ、３４Ｓ、１５Ｎ、１３Ｃ、２Ｈまたはそれらの組み合わせ。
【請求項２１】
２年以内に再発した原発性腫瘍由来の組織中で増加する、表１のタンパク質の１つ以上、２つ以上、３つ以上、４つ以上、５つ以上、６つ以上、７つ以上、または８つ以上のペプチドを含む、請求項１９または２０に記載の組成物。
【請求項２２】
２年以内に再発した原発性腫瘍由来の組織中で減少する、表１のタンパク質の１つ以上、２つ以上、３つ以上、４つ以上、５つ以上、６つ以上、７つ以上、または８つ以上のペプチドを含む、請求項１９または２０に記載の組成物。
【請求項２３】
２年で再発する原発性腫瘍に由来する組織中で減少する、表１のタンパク質の１つ以上、２つ以上、３つ以上、４つ以上、５つ以上、６つ以上、７つ以上、または８つ以上のペプチドを含む、請求項２１に記載の組成物。
【請求項２４】
前記タンパク質消化物中の１、２、３、４、５、６、７、８、９、１０以上の核酸のレベル（量）または配列を評価するおよび／または決定することをさらに含む、請求項１〜８のいずれか一項に記載の方法。
【請求項２５】
前記核酸は、約１５、２０、２５、３０、３５、４０、５０、６０、７５、または１００を超えるヌクレオチド長から独立して選択される長さを有する、請求項２４に記載の方法。
【請求項２６】
前記核酸は、約１５０、２００、２５０、３００、３５０、４００、５００、６００、７５０、１，０００、２，０００、４，０００、５，０００、７，５００、１０，０００、１５，０００、または２０，０００未満のヌクレオチド長から独立して選択される長さを有する、請求項２５に記載の方法。
【請求項２７】
レベル（量）または配列を評価するおよび／または決定することは、下記の任意の１つ以上により、核酸中のヌクレオチドの配列および／または核酸の特性のいずれかを決定することを含む、請求項２４に記載の方法：核酸配列決定、制限断片多型解析の実施、別の核酸とのハイブリダイゼーションの実施、１つ以上の欠失および／または挿入の同定、および／または突然変異、例えば限定はされないが、一塩基対多型、移行および／またはトランスバージョンの存在の決定。
【請求項２８】
１、２、３、４、５、６、７、８、９、１０以上の核酸が表１のタンパク質をコードする、請求項２４に記載の方法。
【請求項２９】
前記核酸は下記配列番号のタンパク質をコードする、請求項２６に記載の方法：表１の１−２０、２１−４１、１−１０、１１−２０、２１−３０、３１−４１またはそれらの断片。
【発明の詳細な説明】
【技術分野】
【０００１】
この出願は、「Ｐｒｏｔｅｉｎ  Ｂｉｏｍａｒｋｅｒｓ  ｏｆ  Ｒｅｃｕｒｒｅｎｔ  Ｂｒｅａｓｔ  Ｃａｎｃｅｒ」と題する２０１０年１２月２９日に出願された米国特許仮出願第６１／４２８，１４５号（その内容は、参照によりその全体が本明細書に組み込まれる）の恩典を主張する。
【背景技術】
【０００２】
米国では、推定１８０，０００の浸潤性乳癌の新規症例が女性の間で、年間基準で診断されており、およそ４０，０００人が毎年、乳癌で死ぬと予測される。肺癌のみが、女性におけるより多くの癌死亡の原因となっている。最新のデータに基づくと、乳癌と診断された女性の相対生存率は、診断後５年で８９％生存、１０年後に８１％、１５年後に７３％となる。しかしながら、５年の相対生存率は、診断時により進行期（より侵襲性）にある女性間ではより低く、この場合、５年の相対生存率は限局性疾患（０および１期）では９８％、局所疾患（２期）では８４％、遠隔病期疾患（３および４期）では２７％である。よって、最初、早期癌（０−２期）のように見える可能性があるより後期の癌（３および４期）を有する危険がより大きな患者を同定する能力を提供することは、生存率を増加させるのに最重要である。これは、より早い時点で、より侵襲性の疾患をもつそれらの患者を同定することに基づき、増強された、より多くの情報に基づいた決定を下すことができるからであり、これにより、最終的に命が救助される。
【０００３】
乳癌が患者において診断されると、典型的な初期治療は、腫瘍を手術により除去するものであり、続いて、化学療法治療が手術により除去されなかった全ての残った癌細胞を死滅させるように設計される。乳癌の病期の認識は、患者治療にとって重要であり、というのも、異なる期／段階の乳癌は、異なる治療戦略に異なって応答するからである。乳癌の病期、段階、および／または悪性度の決定は、患者から除去した後の実際の乳房腫瘍組織を分析することにより最もよく決定される。乳房腫瘍組織内の腫瘍細胞は、乳癌の段階、病期、および／または程度を決定するために、ならびに、患者体内に残っているすべての腫瘍細胞に対して使用するのに最も良い治療薬を同定するために、組織学的におよび分子的に分析することができる。癌患者組織の最も広くおよび都合良く入手可能な形態は、ホルマリン固定されたパラフィン包埋組織である。
【０００４】
手術により除去された組織のホルムアルデヒド／ホルマリン固定は、世界中で、癌組織を保存する飛び抜けて最も一般的な方法であり、標準の病理診療では認められている慣習である。ホルムアルデヒドの水溶液はホルマリンと呼ばれる。ホルムアルデヒド／ホルマリン固定は、典型的にはホルマリンと呼ばれるホルムアルデヒドの水溶液を使用する。「１００％」ホルマリンは、ホルムアルデヒド（約４０体積％のホルムアルデヒドまたは３７質量％）を含む水の飽和溶液から構成され、酸化および重合度を制限するために少量の安定剤、通常メタノールを有する。組織が保存される最も一般的な方法は、全組織を長期間（８時間〜４８時間）、一般に１０％中性緩衝ホルマリンと呼ばれるホルムアルデヒド水溶液中に浸漬させ、続いて、固定された全組織をパラフィンろう中に包埋させ、室温で長期貯蔵するものである。よって、ホルマリン固定癌組織を分析する分子分析方法は、癌患者組織の分析のために最も容認され、頻繁に利用される方法である。
【０００５】
乳癌治療を決定するための重要な問題は、最初、非侵襲性限局性疾患（０−２期）を持つように見えるが、実際にはより侵襲性の疾患（３−４期）を持つ可能性があり、手術および初回化学療法治療に関わらず高い確率で再発するであろう患者を同定することである。患者が、実際には病理組織診断または他の手段から考えられるよりも、侵襲性の高い形態の乳癌であるので、その疾患は高い確率で再発するであろうことが、よりよく同定された場合、より積極的な手術（例えば、「乳房腫瘍摘出術」としても知られる胼胝切除に対立するものとして定型的乳房切除術）、初回化学療法、または追加の第二次療法をそれらの患者に対し実施することができる。
【０００６】
患者由来のホルマリン固定組織を分析することにより、その乳癌が他のものより侵襲性である患者を同定するように設計された分子検査が存在し、例えばＧｅｎｏｍｉｃＨｅａｌｔｈ製のＯｎｃｏｔｙｐｅＤｘ検査およびＡｇｅｎｄｉａ製のＭａｍｍａｐｒｉｎｔ検査である。しかしながら、これらの検査では、疾患再発または非再発の可能性を示すことができない中間的なカテゴリーに入る患者の数が多くなってしまう。さらに、既存の試験は、核酸を分析し、乳癌組織／細胞中に差別的に存在する実際の機能的実体、タンパク質を分析しない。タンパク質を乳癌の侵襲型の指標として使用する検査は、より有利であり、というのは、主に細胞の働きを実行するのはタンパク質であって、核酸ではないからであり、細胞を癌化させるのは異常に発現されたタンパク質であるからである。さらに、異常に発現されたタンパク質は薬物に標的とさせることができ、選択的にまたは特異的に癌細胞が攻撃される。よって、タンパク質を分析する診断検査、および分析を実施するプロテオミクス技術が有利である。
【０００７】
プロテオミクスの分野は生物体内の全てのタンパク質のアイデンティティー、量、構造、および生物化学および細胞機能を確立しようと努力している。プロテオミクスの適用は、歴史的に、主に１度に１タンパク質を基本に前進している。ヒトプロテオームは、何十万ものタンパク質を含み、最近開発されたプロテオミクス技術を用いて、疾患憎悪の間の、固形組織内の細胞において過剰発現されたタンパク質ならびに体液中に流されたタンパク質の変化は今や、検査することができる。罹患細胞対正常細胞において差別的に発現されることが見いだされている特異タンパク質、およびタンパク質のパターンは、ある疾患状態を反映し、診断となり得る。
【０００８】
近年、臨床医学／病理学とプロテオミクスの間のインターフェースを提供する先進技術および方法が開発されている。スループットの高い網羅的プロテオミクス分析技術、例えば液体クロマトグラフィー−タンデム質量分析（ＬＣ−ＭＳ／ＭＳ）が、疾患に特異的な生物試料からプロテオミクスプロファイルを作成するために使用され得る。そのような網羅的プロファイルは、全ての型の生物試料、例えば凍結組織、ホルマリン固定組織、および体液に対し実施することができる。
【０００９】
癌に対する簡便な、および信頼できる標的スクリーニング／診断検査なしでは、分子診断アッセイの欠如は医療制度を悩まし、悪性腫瘍をそれらの早期において検出し治療する努力を複雑にし続ける。早期、侵襲性組織対早期、非侵襲性乳癌組織で差別的に発現された乳癌タンパク質バイオマーカーは、乳癌の診断、診断および予後の可能性を大きく改善することにより、女性を乳癌で苦しめることを減らす「個別化医療」アプローチの基礎を形成し、かつより効果的に乳癌を治療することができる薬物の開発のための標的を提供するであろう。さらに、乳房組織ルーメン中、最終的に血液中への限局性排出に起因する体液中のこれらのバイオマーカーの存在は、プロテオミクスに基づくスクリーニングおよび早期検出のためにサンプリングすることができる、容易に利用できる体液を提供するであろう。早期乳癌に対するプロテオミクスに基づく診断／スクリーニング検査および治療戦略の開発は、乳癌診断、予後、および療法のための「個別化医療」アプローチに対する重要な医学的進歩を表すであろう。
【発明の概要】
【００１０】
本開示は、とりわけ、組織学的外見により、疾患のより侵襲性の低い非再発性の形態として遮蔽される再発性乳癌疾患の存在を診断する方法を提供する。試料が患者から入手される。試料は乳癌組織、乳癌細胞、または患者の癌組織に由来する細胞／タンパク質を含み得る体液、例えば血清または吸引液である。表１に列挙される少なくとも１つ、２つ、３つ、４つ、５つ、６つ、７つ、８つ以上のタンパク質の存在および発現のレベルが試料において決定される。早期、再発性乳癌組織）において検出されるタンパク質の発現レベルが、早期非再発性乳癌における同じタンパク質の発現レベルと比較される。少なくとも１つ以上のタンパク質、または複数のタンパク質の組み合わせの差別的発現は、現在または過去のいずれかの治療と無関係である患者において再発する傾向のある乳癌疾患の存在を示す。このように、予後を決定することができ、これは、乳癌（たとえば、早期乳癌）が、初期治療後に再発する傾向のあるかどうかを予測するものである。１つの実施形態では、タンパク質、またはそのペプチド断片は質量分析により検出され、少なくとも１つ以上のタンパク質の発現レベルは、スペクトルカウント量子化質量分析または選択反応モニタリング（ＳＲＭ）質量分析により決定され；これはまた、多重反応モニタリング（ＭＲＭ）質量分析とも呼ばれ、以後、代替的にＳＲＭ／ＭＲＭアッセイ（複数可）と呼ばれる。別の実施形態では、タンパク質マイクロアレイまたはイムノアッセイにより、タンパク質が検出され、それらの発現レベルが決定される。
【００１１】
この開示はまた、乳癌における治療介入のためのタンパク質標的を同定する方法を提供する。表１に列挙される１つ、２つ、３つ、４つ、５つ、６つ、７つ、８つ以上のタンパク質の存在および発現レベルが試料において検出される。早期乳癌組織において検出されるタンパク質の発現レベルが、早期、非再発性）乳癌における同じタンパク質の発現レベルと比較される。１つ、２つ、３つ、４つ、５つ、６つ、７つ、８つ以上のタンパク質の差別的発現は、療法の選択を示し、乳癌における治療介入のための特定の標的を規定することができる。
【００１２】
タンパク質発現を評価するための試料の選択は、固形組織（正常または罹患）および外科的手段、例えば生検および吸引により患者から得られる体液を含む。タンパク質発現は固形腫瘍組織由来の細胞または組織試料において最も都合良く検出され、測定される。というのも、これらは増殖し、疾患を引き起こす実際の細胞であるからである。しかしながら、時として、体液、例えば腫瘍自体を取り囲む血液、リンパ液および／または腹水を採取することが患者にとって浸潤性が低く、より快適である。これらの流体源は多くの表１に列挙されるタンパク質を含む可能性があり、というのも、それらは腫瘍細胞により周囲の流体中に分泌され得るからであり、または腫瘍細胞自体が固形腫瘍から除去され、今度は流体中で見いだされ得るからであり、多くの場合、それらは乳癌患者から採取するのがより容易な試料である。表１に列挙されるタンパク質は乳癌患者由来の固形組織または体液のいずれかで検出することができ、レベルが測定され得る。
【００１３】
１つの実施形態では、バイオマーカーの採取により、早期原発性乳癌が、初期治療後の患者おいて再発し得る予後が提供され、
（ａ）ヒト患者由来の試料中の、表１に列挙される１つ、２つ、３つ、４つ、５つ、６つ、７つ、８つ以上のタンパク質の発現レベルを測定する工程であって、前記試料は乳癌組織、乳癌細胞、または、前記患者の乳癌前記試料由来のタンパク質を含有する体液、例えば血液もしくは腹水を含む、工程；および
（ｂ）非再発性乳癌における表１に列挙されるそれらのタンパク質の発現レベルと比較した場合の、再発性乳癌における表１に列挙される前記１つ、２つ、３つ、４つ、５つ、６つ、７つ、８つ以上のタンパク質の発現の増加および／または減少を決定する工程；
ここで、それらの１つ、２つ、３つ、４つ、５つ、６つ、７つ、８つ以上のタンパク質の同定は、原発性乳癌が、前記患者において、再発する傾向がより強い可能性を示す。予後方法の別の実施形態では、増加する、表１に列挙される１つ、２つ、３つ、４つ、５つ、６つ、７つ、８つ以上のタンパク質が検査される。予後方法のさらに別の実施形態では、減少する表１に列挙される１つ、２つ、３つ、４つ、５つ、６つ、７つ、８つ以上のタンパク質が検査される。予後方法のさらに別の実施形態では、増加する表１に列挙される１つ、２つ、３つ、４つ、５つ、６つ、７つ、８つ以上のタンパク質が、減少する表１に列挙される１つ、２つ、３つ、４つ、５つ、６つ、７つ、８つ以上のタンパク質と組み合わせて検査される。患者から得られた試料中で増加（過剰発現）および／または減少（過小発現）することが見いだされた表１のバイオマーカータンパク質の数が多いほど、原発性乳癌が、その患者において再発する確率が高くなる。
【００１４】
本発明のある実施形態が下記で記載される。
１．下記工程を含む、早期原発性乳癌が、初期治療後に患者において再発し得ることを予後判定する方法：
ａ）ヒト患者由来の試料中の表１に列挙されるタンパク質の少なくとも１つ以上、少なくとも２つ以上、少なくとも３つ以上、または複数および組み合わせの発現レベルを測定する工程であって、前記試料は、乳癌組織、乳癌細胞、または前記患者の乳癌前記試料由来のタンパク質を含有する体液、例えば血液もしくは腹水を含む、工程；および
ｂ）非再発性乳癌における表１に列挙されるタンパク質の前記少なくとも１つ以上、少なくとも２つ以上、少なくとも３つ以上、または複数および組み合わせの発現レベルと比較した場合の、再発性乳癌における表１に列挙されるタンパク質の前記少なくとも１つ以上、少なくとも２つ以上、少なくとも３つ以上、または複数および組み合わせの発現の増加および／または減少を決定し、原発性乳癌が前記患者において再発する傾向がより強いという可能性を示す工程。  
２．前記乳癌試料が乳房上皮細胞から本質的に構成される、実施形態１の方法。  
３．前記体液は、分画または非分画の血液、血清、血漿、リンパ液、または胸水貯留により採取された流体を含むが、これらに限定されない、実施形態１の方法。  
４．組織は生検または外科的処置により採取される、実施形態１の方法。  
５．組織は化学的に固定され、保存される、実施形態４の方法。  
６．前記化学的固定および保存はホルマリン固定およびパラフィン包埋を含む、実施形態５の方法。  
７．組織は凍結される、実施形態４または５の方法。  
８．前記タンパク質は、無傷な、全長タンパク質として測定され、または無傷な、全長タンパク質の断片化により得られる複数のまたは個々のペプチドを測定することにより測定される、実施形態１の方法。  
９．前記タンパク質は質量分析により検出され、前記タンパク質の測定発現レベルは、前記質量分析後のスペクトルカウント定量化により決定される、実施形態１−８のいずれかの方法。  
１０．前記タンパク質は質量分析により検出され、前記タンパク質の測定発現レベルは、選択反応モニタリング（ＳＲＭ）アッセイにより決定される、実施形態１−８のいずれかの方法。  
１１．前記タンパク質は質量分析により検出され、前記タンパク質の測定発現レベルは、多重反応モニタリング（ＭＲＭ）アッセイと呼ばれるマルチプレックスＳＲＭアッセイにより決定され、この場合、１つを超えるタンパク質が単一の質量分析において検出され、定量化される、実施形態１−８のいずれかの方法。  
１２．前記質量分析は、ＬＣ−ＥＳＩ−ＭＳ／ＭＳ、ＭＡＬＤＩ−ＭＳ、タンデムＭＳ、ＴＯＦ／ＴＯＦ、ＴＯＦ−ＭＳ、ＴＯＦ−ＭＳ／ＭＳ、三連四重極型ＭＳ、および三連四重極型ＭＳ／ＭＳからなる群より選択される、実施形態８−１１のいずれかの方法。  
１３．前記質量分析は液体クロマトグラフィー−タンデム質量分析を含む、実施形態１２の方法。  
１４．タンパク質マイクロアレイまたはイムノアッセイにより、前記タンパク質は検出され、それらの発現レベルが決定される、実施形態１−８のいずれかの方法。  
１５．前記イムノアッセイは、免疫組織化学、Ｗｅｓｔｅｒｎブロット、ドットブロット、およびＥＬＩＳＡからなる群より選択される、実施形態１４の方法。  
１６．下記工程を含む、初期治療後に再発する傾向が最も強い原発性乳癌の療法の選択を示す方法：
ａ）ヒト患者由来の試料中の表１に列挙されるタンパク質の少なくとも１つ以上、少なくとも２つ以上、少なくとも３つ以上、または複数および組み合わせの存在を検出し、その発現レベルを測定する工程であって、前記試料は、乳癌組織、乳癌細胞、または前記患者の乳癌前記試料由来のタンパク質を含有する体液、例えば血液もしくは腹水を含む、工程；および
ｂ）非再発性乳癌における表１に列挙されるタンパク質の前記少なくとも１つ以上、少なくとも２つ以上、少なくとも３つ以上、または複数および組み合わせの発現レベルと比較した場合の、再発性乳癌における表１に列挙されるタンパク質の前記少なくとも１つ以上、少なくとも２つ以上、少なくとも３つ以上、または複数および組み合わせの発現の増加および／または減少を決定し、原発性乳癌が前記患者においてより再発する傾向がより強いという可能性を示す工程。  
１７．表１の１つ以上、２つ以上、３つ以上、４つ以上、５つ以上、６つ以上、７つ以上、または８つ以上のタンパク質またはそれらのペプチド断片の量を定量化することを含む、方法。  
１８．表１の１つ以上、２つ以上、３つ以上、４つ以上、５つ以上、６つ以上、７つ以上、８つ以上、または１０以上のタンパク質、それらのペプチド、またはそれらに対する抗体を含む組成物。  
１９．表１のタンパク質の１つ以上、２つ以上、３つ以上、４つ以上、５つ以上、６つ以上、７つ以上、または８つ以上のペプチドを含み、各ペプチドは異なるタンパク質に由来する、実施形態１８の組成物。  
２０．ペプチドの各々は下記からなる群より独立して選択される１つ以上の同位体で標識される、実施形態１９の組成物：１８Ｏ、１７Ｏ、３４Ｓ、１５Ｎ、１３Ｃ、２Ｈまたはそれらの組み合わせ。  
２１．２年以内に再発した原発性腫瘍由来の組織中で増加する、表１のタンパク質の１つ以上、２つ以上、３つ以上、４つ以上、５つ以上、６つ以上、７つ以上、または８つ以上のペプチドを含む、実施形態１９−２０のいずれかの組成物。  
２２．２年以内に再発した原発性腫瘍由来の組織中で減少する、表１のタンパク質の１つ以上、２つ以上、３つ以上、４つ以上、５つ以上、６つ以上、７つ以上、または８つ以上のペプチドを含む、実施形態１９−２１のいずれかの組成物。  
２３．前記組成物は実質的に純粋である、または他のタンパク質、膜脂質および／または核酸の任意の組み合わせから選択される他の細胞成分を含まない、実施形態１８−２２のいずれかの組成物。  
２４．前記タンパク質消化物中の１、２、３、４、５、６、７、８、９、１０以上の核酸のレベル（量）または配列を評価するおよび／または決定することをさらに含む、実施形態１−１７のいずれかの方法。  
２５．前記核酸は、約１５、２０、２５、３０、３５、４０、５０、６０、７５、または１００を超えるヌクレオチド長から独立して選択される長さを有する、実施形態２４の方法。  
２６．前記核酸は、約１５０、２００、２５０、３００、３５０、４００、５００、６００、７５０、１，０００、２，０００、４，０００、５，０００、７，５００、１０，０００、１５，０００、または２０，０００未満のヌクレオチド長から独立して選択される長さを有する、実施形態２５の方法。  
２７．レベル（量）または配列を評価するおよび／または決定することは、下記の任意の１つ以上により、核酸中のヌクレオチドの配列および／または核酸の特性のいずれかを決定することを含む、実施形態２４−２６のいずれかの方法：核酸配列決定、制限断片多型解析の実施、別の核酸とのハイブリダイゼーションの実施、１つ以上の欠失および／または挿入の同定、および／または突然変異、例えば限定はされないが、一塩基対多型、移行および／またはトランスバージョンの存在の決定。  
２８．１、２、３、４、５、６、７、８、９、１０以上の核酸が表１のタンパク質をコードする、実施形態２４−２７のいずれかの方法。  
２９．前記核酸は下記配列番号のタンパク質をコードする実施形態２４−２８のいずれかの方法：表１の１−２０、２１−４１、１−１０、１１−２０、２１−３０、３１−４１、またはそれらの断片。
【発明を実施するための形態】
【００１５】
バイオマーカー
臨床医学／病理学とプロテオミクスのインターフェースでの方法が使用され、早期、非再発性乳癌上皮細胞および早期、再発性乳癌上皮細胞の間で差別的に発現されたタンパク質が同定された。表１で提供されるタンパク質のタンパク質リストは、早期、非再発性乳癌組織および早期、再発性乳癌組織から得られた細胞の網羅的ＬＣ−ＭＳ／ＭＳプロテオミクスプロファイリング；および早期、非再発性乳癌細胞において一貫して過剰発現または過小発現されたタンパク質を早期、再発性乳癌細胞と比較することにより決定した。注目すべきことは、これらのタンパク質の多くまたは全てが、乳癌細胞に由来する体液、例えば腹水または血液に由来する流体、例えば血漿および血清中で容易にアッセイされ得ることである。本明細書で記載されるリストからの特異タンパク質発現に対してアッセイすることにより、乳癌の診断的評価に対してアッセイされるのは、乳房由来組織、乳房上皮細胞、または体液のいずれかである。また、１つ以上の同じタンパク質が、薬物がこれらのタンパク質に向かって誘導される標的治療アプローチのための基礎を形成する。これらのタンパク質の同定は、被験体から採取した様々な生物試料、例えば固定および凍結組織、および血液および腹水の両方に由来する体液試料において、初期治療の後の時点にて再発する傾向が最も強い早期乳癌を検出する能力を提供する。疾患分析のための診断および予後エンドポイントは、単一分析物およびプロテオミクスパターンの両方を含む。プロテオミクスパターンは、多くの個々のタンパク質から構成することができ、その各々は、再発する傾向のある乳癌を個々に同定せず、集合的に、再発する確率が増加する乳癌を同定することができる。診断、予後、および再発乳癌の療法のために使用される個々のタンパク質、タンパク質のパターン、および／または複数のタンパク質の採取もまた提供される。
【００１６】
本明細書で提供される方法は、原発性乳癌の再発の可能性の評価および乳癌を有する被験体（患者）に対する治療戦略を可能にする。方法は視覚的な組織学的方法により早期非侵襲性であるように見える乳癌が、乳癌の存在、非存在、性質および／または程度の第１の評価後、潜在的に再発するより侵襲性の進行期の乳癌となる可能性があるかどうかを決定するのに有用である。表１のタンパク質のリストから１つ、２つ、３つ、４つ、５つ、６つ、７つ、８つ以上のタンパク質を測定することにより、乳癌を被験体内で診断することができ、その被験体の予後を決定することができ、その被験体の疾患に特異的な薬物を選択することができる。組織の試料、例えば、被験体から外科的に獲得されまたは生検が行われ、凍結され、または化学的に固定されたもの、または体液、例えば血液、リンパ液、血清、血漿、および／または腹水が検査され、タンパク質発現が評価および測定される。
【００１７】
非再発性である乳癌を有する被験体由来の生物試料対乳癌が再発性である被験体由来の生物試料で見いだされる表１のタンパク質のリストからのタンパク質における観察される差は、疾患タンパク質プロファイルを表し、患者における癌病理の存在、非存在、性質または程度を示す。
【００１８】
１つの実施形態では、再発性乳癌タンパク質プロファイルと基準非再発性乳癌タンパク質プロファイルの間の差は、表１のリストからの１つ、２つ、３つ、４つ、５つ、６つ、７つ、８つ以上のバイオマーカータンパク質の量の差を含む。被験体における乳癌病理を評価するための方法は、異なる疾患状態間または疾患状態と正常状態の間で区別することを含む。そのようなプロファイルはまた、予後を決定するために使用され、これは、ある被験体における乳癌の進行または退行の程度および予測をモニタすることを目的とする。このために、再発性乳癌タンパク質プロファイルは、被験体から前に入手された生物試料、例えば、治療前に、または一般健康スクリーニングの一部として入手された生物試料に由来することができる。
【００１９】
方法はまた、治療決定、例えば薬物または手術の有効性を評価するように適合される。薬物療法の選択の場合、乳癌タンパク質プロファイル内の１つ以上のタンパク質が薬物治療のための標的として機能し得る。１つの実施形態では、薬物は特異的に表１のタンパク質のリストからの個々の、特異タンパク質と相互作用する。別の実施形態では、薬物は表１のリストからのタンパク質の結合パートナーと相互作用し、これにより表１のタンパク質の、その結合パートナーと相互作用するまたは生物学的機能を実行する能力を変化させる。さらに別の実施形態では、１つ、２つ、３つ、４つ、５つ、６つ、７つ、８つ以上のタンパク質の発現プロファイルは、薬物療法、および／または期間／レジメンを選択するために使用することができる。
【００２０】
方法はさらに、再発性乳癌を有する疑いがある被験体由来の生物試料の検査タンパク質プロファイルと再発性乳癌を有しない被験体由来の生物試料からの基準タンパク質プロファイルの間の、表１のタンパク質リストからの１つ以上のタンパク質差に基づく分類モデルまたはアルゴリズムを含む。
【００２１】
いくつかの実施形態では、再発性または非再発性乳癌タンパク質プロファイルまたは両方が、質量分析を用いて作成される。そのような実施形態では、使用される質量分析の方法は、都合良くイオントラップ機器または三連四重極型機器を使用し得る。一般に、質量分析による分析のために、無傷の全長タンパク質が、タンパク質試料のタンパク質分解酵素、例えばトリプシン、パパイン、キモトリプシン、などによる処理により個々のペプチドに低減され、よって複合タンパク質試料調製物がペプチドから構成される複合ライセートとされる。そのようなペプチドライセートは、質量分析による生物試料由来のタンパク質の分析のための試料の好ましい形態であり、ここで、特異な個々のペプチドの定量的存在は、ペプチドが誘導される無傷の全長タンパク質の定量的存在を示す。１つの実施形態では、網羅的様式での同時の全てのペプチドの分析は、イオントラップ質量分析機器上で都合良く実施され得る。１つの実施形態では、個々の特異ペプチド、よって、それらが由来するタンパク質にアッセイを特異的に集中させる標的ペプチドの分析は、三連四重極型質量分析機器上で実施される。三連四重極型質量分析による標的とされる定量的タンパク質分析の実施は、ＳＲＭ／ＭＲＭ方法を用いて達成され得る。その方法は、生物試料が獲得された被験体における再発性乳癌の可能性を調査するためのタンパク質プロファイルを作成するために使用することができる。
【００２２】
質量分析による分析の前に、ライセート中のペプチドを質量分析によるそれらの分析および測定を促進する様々な技術に供してもよい。１つの実施形態では、ペプチドは、親和性技術、例えば免疫学に基づく精製（例えば、免疫親和性クロマトグラフィー）、イオン選択的媒質上でのクロマトグラフィーにより、またはペプチドが修飾されている場合、適切な媒質、例えば炭水化物修飾ペプチドの分離のためのレクチンを使用する分離により、分離することができる。１つの実施形態では、質量分光分析前にペプチドの免疫学的分離を採用するＳＩＳＣＡＰＡ方法が使用される。ＳＩＳＣＡＰＡ技術は、例えば、米国特許第７，６３２，６８６号において記載される。他の実施形態では、レクチン親和性法（例えば、親和性精製および／またはクロマトグラフィーが質量分析による分析前にライセートからペプチドを分離するために使用され得る。ペプチドの群の分離のための方法、例えばレクチンに基づく方法は、例えば、Geng et al., J. Chromatography B, 752:293-306 (2001)において記載される。免疫親和性クロマトグラフィー技術、レクチン親和性技術および他の形態の親和性分離および／またはクロマトグラフィー（例えば、逆相、サイズに基づく分離、イオン交換）は、質量分析によるペプチドの分析を促進するために任意の好適な組み合わせで使用され得る。
【００２３】
別のアッセイ方法は、サンドイッチ型アッセイを含む抗体に基づく方法を使用してタンパク質を検出する前に、タンパク質および／またはタンパク質由来のペプチドを、マイクロアレイ上に固定する（例えば、固定された抗体を使用して）ことを含む。他のアッセイ方法は、薄い組織切片上での抗体に基づくタンパク質検出方法を使用する免疫組織化学的分析を含み、この場合、タンパク質は組織切片内で全長のまま維持される（タンパク質分解を受けない）。さらに他のアッセイ方法は、抗体に基づくＷｅｓｔｅｒｎブロットおよびＥＬＩＳＡタンパク質検出方法を含み、この場合、調べられるタンパク質調製物は無傷の全長タンパク質および／または誘導ペプチドである。これらの記載されるタンパク質検出方法はすべて、全体の無傷なタンパク質に由来する個々のポリペプチドを検出するために使用することができ、よって、これらの方法は必ずしも全体の無傷なタンパク質の検出を必要としないが、全体の無傷なタンパク質に由来するペプチドの検出を含むことはできる。これらの方法は、単独で、または任意の組み合わせで、例えば質量分析に基づく方法との組み合わせで使用することができる。当技術分野において知られている任意の好適な報告／検出システムは、そのようなアッセイと共に使用することができ、限定はされないが、蛍光、ＵＶ／Ｖｉｓクロマトフォア発現、プラズモン共鳴、金属染色、などが挙げられる。
【００２４】
したがって、表１のタンパク質リストからのタンパク質およびこれらのタンパク質に由来するポリペプチドを検出するために有用な方法が提供される。患者における再発性乳癌疾患を示す乳癌病理の存在、非存在、性質または程度は、リストからの１つ以上の発現されたバイオマーカータンパク質および／または同じタンパク質からの１つまたは複数の誘導ペプチドの発現を考慮して評価することができる。
【００２５】
さらに１つの実施形態では、表１で見られる１つ以上のタンパク質、またはそれらの誘導ペプチドの存在をアッセイすることにより、患者または患者の集団を乳癌に対してスクリーニングするための方法が提供される。使用されるアッセイ（複数可）は、質量分析アッセイ、免疫アッセイ、例えばＷｅｓｔｅｒｎブロット、酵素結合免疫吸着測定法（ＥＬＩＳＡ）、または無傷な組織切片に対する免疫組織化学的方法、または任意のそれらの組み合わせを含み得る。上記のように、乳癌再発の可能性の増加に伴い増加または減少する複数（例えば、１つ、２つ、３つ、４つ、５つ、６つ、７つ、８つ以上）のタンパク質または誘導ペプチドを分析することができ、よって、スクリーニングアッセイの予測力が増加する。１つの実施形態では増加する、表１に列挙される１つ、２つ、３つ、４つ、５つ、６つ、７つ、８つ８以上のタンパク質が、減少する表１に列挙される１つ、２つ、３つ、４つ、５つ、６つ、７つ、８つ以上のタンパク質と組み合わせて検査される。
【００２６】
バイオマーカーの同定
タンパク質バイオマーカー（例えば、表１のタンパク質）は、手術後の再発性乳癌を引き起こした原発性腫瘍から得られた乳癌上皮細胞および現在または従来の治療に無関係である手術後に再発性乳癌を引き起こさなかった乳癌である原発性腫瘍から得られた乳癌上皮細胞で観察されたそれらの発現の差別的パターンに基づいて選択した。いくつかのタンパク質のレベルは、再発性乳癌組織から得られた癌細胞において増加し、他のタンパク質のレベルは再発性癌組織細胞において減少した。
【００２７】
表１のデータは、の乳癌の再発および乳癌ではない癌の再発に苦しむ患者の組織および細胞に由来するタンパク質ライセートの質量分析により収集した。２つの患者集団の細胞から得られたタンパク質ライセートは、差別的タンパク質発現についての必要な情報全てを含む。それらの患者集団の細胞由来のタンパク質ライセートは、Ｌｉｑｕｉｄ  Ｔｉｓｓｕｅ（商標）プロトコルおよび試薬を用いて調製した。調製方法は、細胞（組織試料）を組織マイクロダイセクションにより管内へ収集すること、続いて細胞（組織試料）を昇温で、緩衝液中、長期間維持し（例えば、約８０℃〜約１００℃で、約１０分〜約４時間の期間）、タンパク質架橋結合を逆転または放出させることを含む。使用される緩衝液は、中性緩衝液（例えば、トリスに基づく緩衝液、または界面活性剤を含む緩衝液）であり、都合良く、質量分光分析を妨害しない緩衝液である。ホルマリンにより誘導された架橋結合がマイナスの影響を受けるとすぐに、その後、細胞は予測可能な様式で、プロテアーゼ（例えば、トリプシン）を使用して完全に消化される。加熱およびタンパク質分解の結果は、液体の、可溶性の、希釈可能な生体分子ライセートである。
【００２８】
調製されたライセートはその後、網羅的プロテオミクス質量分析により分析され、データは最初、各タンパク質ライセート中のペプチドの総数の同定として提示される。可能な限り多くのペプチドが、単一ライセートの１回のＭＳ分析において同定されるとすぐに、その後、ペプチドのそのリストが、研究セットにおける全てのライセートにわたって同定されたペプチドのリストと比較された。よって、質量分析による差別的タンパク質発現を決定するための開始点は、１つの試料および／または同様の試料の群で発現されたことが見いだされたペプチドのリストであり、第２の試料および／または同様の試料の群で発現されたことが見いだされたペプチドのリストと比較された。４つの（４）Ｌｉｑｕｉｄ  Ｔｉｓｓｕｅ（商標）試料の第１の群は、初期治療後少なくとも２年後に再発しなかった患者からの原発性乳癌組織に由来し、５つの（５）Ｌｉｑｕｉｄ  Ｔｉｓｓｕｅ（商標）試料の第２の群は、初期治療後２年以内に再発した患者からの早期原発性乳癌組織に由来した。これらの２つの患者の群間、再発性早期乳癌対非再発性早期乳癌で差別的に発現されたそれらのタンパク質の比較は、表１で説明されるタンパク質の初期研究セットを形成した。
【００２９】
再発を患った患者および再発乳癌を患わなかった患者において見いだされたペプチドのリストからの差別的タンパク質発現の分類は、最初に、どのタンパク質が与えられたペプチドリストにより表されたかを決定し、その後、各タンパク質に対し同定されたペプチドの総数をカウントすることにより達成された。そのデータ照合方法は、スペクトルカウント（Ｓｐｅｃｔｒａｌ  カウント）法（ＳＣ）として知られている。よって、あるタンパク質に対するスペクトルカウントは、単一ライセート中のそのタンパク質に対し同定されたペプチドの総数に基づいており、それはＭＳにより分析されたライセート中のそのタンパク質の存在量に対する相対指標となる。スペクトルカウントは、１つの試料および／または同様の試料の群からのあるタンパク質に対する相対タンパク質存在量を、次の試料および／または同様の試料の群と比較する能力を提供する数学的方法である。このアプローチはまた、ある試料内の個々のタンパク質間でのタンパク質存在量を区別するために使用することができる。
【００３０】
何千もの個々のタンパク質の間のスペクトルカウントが、再発乳癌を生じさせた複数の原発性の患者由来の腫瘍から得られた乳癌上皮細胞および再発乳癌を生じさせなかった複数の原発性の患者由来の腫瘍から得られた乳癌上皮細胞から得られた試料で、比較される。
【００３１】
このように、タンパク質存在量は、ペプチドのスペクトルカウンティング（ＳＣ）を使用する、複数の乳癌組織由来のタンパク質ライセートの質量分析により得られた。さらに、その配列が複数のタンパク質アイソフォームに位置したペプチドは、節減の原理によりグループ分けされた。疾患期サブグループによる患者試料にわたるタンパク質存在量の統計学的に有意な変化を決定するために、非再発性II期（ＮＲII期）対再発性疾患を有する期（IIＲ期）患者試料から同定されたペプチドの階層教師つきクラスター分析を実施した。この場合、同定された総スペクトルカウントペプチドの分散が、教師つき群における試料の６０％は、あるタンパク質に対し２以上の最小ペプチドカウントを有することを要求するフィルタ基準と対応されたＭａｎｎ−Ｗｈｉｔｎｅｙ順位和検定（有意性レベルｐ≦０．０５、Ｆｉｓｈｅｒの正確確率検定）を用いて決定された。
【００３２】
表１におけるタンパク質の選択は、再発性疾患（IIＲ期）を示す患者からのII期乳癌組織対２年以内に再発性疾患（ＮＲII期）を有さなかった患者からの乳癌組織において有意に（有意性レベルｐ≦０．０５、Ｆｉｓｈｅｒの正確確率検定）高いまたは低いスペクトルカウント存在量を示したそれらのタンパク質に限定された。
【００３３】
表１は４１のタンパク質の名称を示し、３１は存在量が増加し、１１は減少したものであり、これらはＮＲII期対IIＲ期患者を有意に区別する。１つの実施形態では、予後方法は、増加したレベルを有する少なくとも１つ以上のタンパク質を使用し、別の実施形態では、減少したレベルを使用し、さらに別の実施形態では、増加した、および減少したレベルの組み合わせを使用する。さらに、予後方法は単一のアッセイにおいて、複数のタンパク質にわたる減少した発現および／または増加した発現の特定の組み合わせを含むことができ、早期再発性乳癌を示すおよびその予後となるタンパク質発現変化のパターンが与えられる。表１の最上部に沿って左から右へ示される情報は下記である：１）Ｕｎｉｐｒｏｔアクセッション番号、２）再発性乳癌と非再発性乳癌の間のｌｏｇ２比率スペクトルカウント変化、３）タンパク質略称、および４）タンパク質の名称。このリスト中の全てのタンパク質は、それらの有意性を示す０．０５未満のＰ値の基準を満たし、よって、これらのタンパク質の各々が、再発する傾向が最も強く、かつ侵襲性乳癌の診断、予後、または治療標的のために使用することができる乳癌の候補バイオマーカーとして同定される。
【表１】
2014502729.tif 000002
2014502729.tif 000003
【００３４】
本方法は、表１に列挙されるタンパク質を使用する診断、予後、治療処置の方法および組成物だけでなく、関連タンパク質を使用するものを含む。１つの実施形態では、関連タンパク質は、少なくともいくつかのアミノ酸配列を表１のタンパク質と共有するタンパク質／ポリペプチドを含み、これらは、表１のタンパク質をコードする遺伝子からの別の転写物（または別に処理された転写物）の翻訳により生成される。別の実施形態では、関連タンパク質は、翻訳または翻訳後レベルでの変更（例えば、翻訳後修飾）により生成された、表１のタンパク質と少なくともいくらかのアミノ酸配列を共有するタンパク質／ポリペプチドを含む。いずれかの実施形態では、関連タンパク質は、表１のタンパク質で見出される配列と同一である、５、６、７、８、１０、１２、１５、１８または２０を超える隣接アミノ酸を含み得る。
【００３５】
本明細書で提供される実施形態は、１つ以上、２つ以上、３つ以上、４つ以上、５つ以上、６つ以上、８つ以上、または１０以上の表１のタンパク質、またはそれらのポリペプチド断片を含有する組成物を含む。いくつかの実施形態では、組成物は、２つ以上、３つ以上、４つ以上、５つ以上、６つ以上、または７つ以上の、表１で見出されるタンパク質またはそれらのタンパク質のペプチド断片に特異的に結合する抗体を含む。ペプチドを含む組成物は、同位体標識された１つ以上、２つ以上、３つ以上、４つ以上、５つ以上、６つ以上、８つ以上、または１０以上のペプチドを含み得る。ペプチドの各々は、下記からなる群より独立して選択される１つ以上の同位体で標識され得る：１８Ｏ、１７Ｏ、３４Ｓ、１５Ｎ、１３Ｃ、２Ｈまたはそれらの組み合わせ。同位体標識されたかどうかに関係なく、表１のタンパク質のいずれか由来のペプチドを含む組成物は、いずれかの与えられたタンパク質由来のペプチドを全て（例えば、トリプシンペプチドの完全な組）含む必要はない。いくつかの実施形態では、組成物は表１または表２に現れる２つ、３つ、４つ、５つ、６つ、７つ、８つ、９つ、１０以上のタンパク質に対する１つ、２つ、３つ、４つ、５つ、６つ、または７つのペプチドのみを含む。ペプチドを含む組成物は、乾燥または凍結乾燥材料、液体（例えば、水性）溶液または懸濁液、アレイ、またはブロットの形態をとることができる。
【００３６】
バイオマーカーの使用
本明細書で記載されるタンパク質バイオマーカーは、乳癌を有する患者の治療を改善するのに有利に使用することができる。再発性乳癌対非再発性乳癌における１つ以上のタンパク質の過剰発現および／または過小発現ならびに生物試料におけるこの過剰発現および／または過小発現をアッセイする能力を使用して、乳癌を有する者が、再発する傾向のある癌の型を有するかどうかを決定することができる。患者が再発する傾向のある乳癌の形態を有することを示唆するタンパク質プロファイルの場合、結果はまた、非再発性乳癌を有する患者のために使用されるものとは異なる、療法および／または治療レジメンの選択を示し得る。さらに、複数のタンパク質の変化した発現に基づく決定は、１つまたは２つのタンパク質の個々の評価よりも、再発性乳癌の指標として効果的である可能性が高い。本方法は、乳癌の再発型に苦しめられる疑いがある個体からの単一の生物試料における、同時の複数のタンパク質の評価および相関を含み、それらを提供する。
【００３７】
再発性乳癌対非再発性乳癌における１つ以上のタンパク質の過剰発現および／または過小発現ならびに生物試料におけるこの過剰発現および／または過小発現をアッセイする能力を使用して、疾患治療の最も良好な過程を達成するためにどの治療薬が選択されるのかを決定するのを助けることができる。１つ以上の、本明細書で示されるタンパク質は、薬物により直接標的させることができ、よって、乳癌細胞は、１つ以上のこれらのタンパク質を発現していない組織中の正常細胞の代わりに優先的に死滅させることができる。
【００３８】
１つ以上のこれらのタンパク質を、再発乳癌のバイオマーカーとして使用してアッセイされる生物試料の型は、生検が行われた組織または外科的に除去された組織を含む。組織は新鮮であり、凍結され、および／または化学的に固定させることができ、例えばホルマリンおよび他の同様の化学固定液中で保存されるものである。とることができる別の形態の生物試料は、分画または非分画の生物流体試料、例えば血清、血漿、全血、および腹水である。患者由来の生物試料のこれらの形態の全てが、表１の１つ以上のタンパク質の発現についてアッセイされ得る。
【００３９】
核酸およびタンパク質はどちらも、本明細書で使用される同じ生体分子ライセート調製物から分析することができる（例えば、米国特許第７，４７３，５３２）ので、同じ試料から、疾患診断および薬物治療決定についての追加の情報を作成させることができる。例えば、細胞の状態およびそれらの非制御増殖、潜在的な薬物耐性、および癌の発生についての可能性に関する追加の情報がそれらのライセート調製物から核酸を分析することにより得られ得る。タンパク質／ペプチド分析および核酸分析の両方にライセート調製物を使用することにより、任意の１、２、３、４、５つ以上の遺伝子および／または核酸、および／またはそれらがコードするタンパク質の状態についての情報（例えば、ｍＲＮＡ分子およびそれらの発現レベルまたはスプライス変異）を、同じ生体分子ライセート調製物から入手することができる。例えば、表１の任意の１つ、２つ、３つ、４つ、５つ以上のペプチド、およびまたはそれらが由来するタンパク質またはそれらのタンパク質をコードする核酸についての情報が評価され得る。核酸は、例えば、下記により検査することができる：１つ以上の配列決定方法、制限断片多型分析の実施、別の核酸とのハイブリダイゼーションの実施、欠失、挿入の同定および／または突然変異、例えば限定はされないが、一塩基対多型、移行および／またはトランスバージョンの存在の決定。そのような検査は、任意の好適なフォーマット、例えば限定はされないが、アレイ、マイクロアレイ、ブロット上、または溶液中（例えば、ポリメラーゼ連鎖反応「ＰＣＲ」またはリガーゼ連鎖反応「ＬＣＲ」による）で実施することができる。
【００４０】
別の核酸とのハイブリダイゼーションが使用される場合、アッセイまたは検査は、任意の好適なフォーマット（例えば、アレイ／マイクロアレイ、ブロット、など）で、核酸を、特異結合を得るために好適なストリンジェンシーの条件下で接触させることにより実施することができる。ハイブリダイゼーション反応の要求される「ストリンジェンシー」は当業者により決定可能であり、一般にプローブ長、洗浄温度、および塩濃度に依存する経験的計算を含む。一般に、プローブが長いほど、適正なアニーリングに対してより高い温度が必要とされ、プローブが短いほど、必要とされる温度が低い。ハイブリダイゼーションは一般に、変性ＤＮＡの、相補鎖が、それらの融解温度より低い環境に存在した場合、これとアニールする能力に依存する。プローブとハイブリダイズ可能な配列との間の所望の相同性度が高いほど、使用することができる相対温度が高くなり、相対温度が高いほど、ハイブリダイゼーション反応をよりストリンジェントにする傾向があり、逆の場合も同じである。例えば、Ausubel et al., Current Protocols in Molecular Biology, Wiley Interscience Publishers, (1995)を参照されたい。ハイブリダイゼーション反応は典型的にはストリンジェントな条件または中程度にストリンジェントな条件を使用する。
【００４１】
「ストリンジェントな条件」は、典型的には、低いイオン強度、変性剤（例えば、ホルムアミド）ありまたはなし、および洗浄のための高温、例えば、５０℃の０．０１５Ｍ塩化ナトリウム／０．００１５Ｍクエン酸ナトリウム／０．１％ドデシル硫酸ナトリウムを使用する。
【００４２】
「中程度にストリンジェントな条件」は、Sambrook et al., Molecular Cloning: A Laboratory Manual, New York: Cold Spring Harbor Press, 1989により記載されるように特定することができ、上記で記載されるものよりもストリンジェントでない洗浄溶液およびハイブリダイゼーション条件（例えば、温度、イオン強度および％ＳＤＳ）の使用を含むことができる。中程度にストリンジェントな条件の一例は、３７℃での、下記を含む溶液中での一晩中のインキュベーション：２０％ホルムアミド、５Ｘ  ＳＳＣ（１５０ｍＭ  ＮａＣｌ、１５ｍＭクエン酸三ナトリウム）、５０ｍＭリン酸ナトリウム（ｐＨ７．６）、５Ｘデンハート液、１０％デキストラン硫酸、および２０ｍｇ／ｍｌ変性せん断サケ精子ＤＮＡ、続いて、１ＸＳＳＣ中、約３７−５０℃での洗浄である。当業者であれば、因子、例えばプローブ長などを適応させため、必要に応じて温度、イオン強度、などを調節する方法を認識するであろう。
【００４３】
１つの実施形態では、試料は、表１のタンパク質から生成された１つ、２つ、３つ、４つ、５つ、６つ、７つ、８つ、９つ以上のペプチド、および／または、１つ以上のそれらのペプチドまたはそれらがタンパク質分解により得られるタンパク質をコードする核酸に対して分析される。一実施形態では、試料は、表１のタンパク質から生成された２つ、３つ、４つ、５つ、６つ、７つ、８つ、９つ以上のペプチド、および／または表１からのタンパク質をコードする２、３、４、５、６、７、８、９以上の核酸に対して分析され、ここで、表１からのタンパク質は、下記配列番号により表される任意の範囲のタンパク質から選択される：表１の１−２０、２１−４１、１−１０、１１−２０、２１−３０、３１−４１。
【００４４】
実施例
乳癌を２年以内に再発した患者から得られた５つの（５）ホルマリン固定乳癌組織試料および乳癌を２年以内に再発しなかった患者から得られた４つ（４）の乳癌組織試料を、癌と相関する差別的タンパク質発現について調べた。これらのタンパク質は、乳癌の診断、予後、および療法を改善するために使用され得る。
【００４５】
組織切片を組織学的分析のために各組織から調製し、上皮癌細胞の獲得を、組織マイクロダイセクションにより実施した。可溶性タンパク質ライセートを顕微解剖した乳癌組織試料から、Ｌｉｑｕｉｄ  Ｔｉｓｓｕｅ（商標）ＭＳ  Ｐｒｏｔｅｉｎ  Ｐｒｅｐ  Ｋｉｔ（Ｅｘｐｒｅｓｓｉｏｎ  Ｐａｔｈｏｌｏｇｙ，Ｉｎｃ．）を用いて調製した。各ライセートは、プロテアーゼトリプシンにより予測可能なペプチド断片に消化された、顕微解剖された細胞の総タンパク質量から構成された。この形態で、各および全てのタンパク質ライセートは、各ライセート中に存在するタンパク質の同定および定量のための質量分析の技術により評価することできる。さらに、全ての試料にわたる総質量分析データを使用して、個々の試料間および非再発性乳癌患者由来の原発性腫瘍と再発性乳癌を有する患者由来の原発性腫瘍の間の差別的タンパク質発現を決定する。
【００４６】
各トリプシン消化タンパク質ライセートの質量分析を、下記に従い実施した。液体クロマトグラフィー（ＬＣ）を、オンラインでＴｈｅｒｍｏＦｉｓｈｅｒ線形イオントラップ質量分析計（ＭＳ）に結合されたＤｉｏｎｅｘ  Ｕｌｔｉｍａｔｅ３０００システムを用いて実施した。試料の分離を、７５μｍ  ＩＤｘ３６０μｍ  ＯＤｘ１０ｃｍ長融解石英キャピラリーカラム５μｍ、３００Å細孔サイズＪｕｐｉｔｅｒＣ−１８固定相を用いて実施した。５μｌの再懸濁タンパク質ライセートの注入後、カラムを９８％移動相Ａ（０．１％ギ酸を含む水）で３０分間洗浄し、ペプチドを２％移動相Ｂ（０．１％ギ酸を含むアセトニトリル）〜４２％移動相Ｂの直線勾配を用いて、１４０分で、その後、９８％Ｂでさらに２０分（全て２５０ｎＬ／分の一定流速）溶出させた。線形イオントラップ質量分析計（ＬＩＴ−ＭＳ）をデータ依存ＭＳ／ＭＳモードで動作させ、この場合、各フルＭＳスキャン（ｍ／ｚ３５０−１８００のプリカーサイオン選択スキャン範囲）後、７のＭＳ／ＭＳスキャンが続き、ここで、７つの最も豊富なペプチド分子イオンが、３５％の相対衝突誘起解離（ＣＩＤ）エネルギーを使用するタンデムＭＳのために選択された。動的排除を使用して、ＣＩＤのためのペプチドの冗長な選択を最小に抑えた。
【００４７】
ペプチド同定は、Ｅｕｒｏｐｅａｎ  Ｂｉｏｉｎｆｏｒｍａｔｉｃｓ  Ｉｎｓｔｉｔｕｔｅ（ＥＢＩ）から得られたＵｎｉＰｒｏｔ由来ヒトプロテオームデータベース（バージョン１０／０８、５６，３０１タンパク質エントリー）に対し、下記パラメータを使用して、７２ノードＢｅｏｗｕｌｆクラスター上でＳＥＱＵＥＳＴ（ＢｉｏＷｏｒｋｓ、ｖ３．２、ＴｈｅｒｍｏＳｃｉｅｎｔｉｆｉｃ）を使用してＬＣ−ＭＳ／ＭＳデータを調べることにより得た：トリプシン（ＫＲ）；全酵素的切断；２つの欠損した切断部位；１．５Ｄａペプチド質量耐性ペプチド耐性、０．５Ｄａ断片イオン耐性およびメチオニン酸化のための様々な修飾（ｍ／ｚ１５．９９４９２）。得られたペプチド同定を、特定のＳＥＱＵＥＳＴスコアリング基準に従いフィルタリングした：δ相関（ΔＣｎ）≧０．０８および荷電状態依存相互相関（Ｘｃｏｒｒ）≧１．９（［Ｍ＋Ｈ］１＋）、≧２．２（［Ｍ＋２Ｈ］２＋）、および≧３．５（［Ｍ＋３Ｈ］３＋）（補足表１）。これらの基準により、全データセットをタンパク質配列が逆転されたデコイヒトデータベースに対して調べることにより決定されるように同定された全てのペプチドに対し、５．８４％の誤った発見率（ＦＤＲ）となった。タンパク質存在量を、スペクトルカウンティング（ＳＣ）により誘導し、その配列が複数のタンパク質アイソフォームに位置したペプチドを、節減の原理によりグループ分けした。疾患期サブグループにより、患者試料にわたるタンパク質存在量における統計学的に有意な変化を決定するために、非再発性疾患II期（IIＮＲ期）対再発性疾患（IIＲ期）を有するII期患者試料から同定されたペプチドの階層的制御クラスター分析を実施し、ここで、同定された総スペクトルカウントペプチドの分散を、教師つき群における試料の６０％は、あるタンパク質に対し２以上の最小ペプチドカウントを有することを要求するフィルタ基準と対応されたＭａｎｎ−Ｗｈｉｔｎｅｙ順位和検定（有意性レベルｐ≦０．０５、Ｆｉｓｈｅｒの正確確率検定）を用いて決定した。
【００４８】
高信頼ペプチドデータを使用して、試料に対するペプチドリストを組み合わせ、冗長なペプチド同定を排除して、特有のペプチドのリストを作成させた。リスト中の各ペプチドは、タンパク質とすでに関連しており、そのため、リストはタンパク質のリストに容易に変換され、特定的に、特有のタンパク質リストが、各患者試料に対して作成された。これらのデータに基づいて、再発性乳癌と非再発性乳癌の間の差別的タンパク質発現を決定する定量的分析を、スペクトルカウント定量方法を用いて実施した。スペクトルカウント定量は、各タンパク質と関連する特有のペプチドの数をカウントするプロセスである。タンパク質名の傍らの４という値は、その特定のタンパク質と関連する４つの特有のペプチドが存在することを反映する。個々のペプチドのいずれかに対しては多くの反復同定が存在し得るが、カウントは特有のペプチドに基づき、総ペプチドには基づかなかった。このカウントは直接、各特定のタンパク質の相対存在量と相関し、よってあるタンパク質に対し同定された特有のペプチドが多いほど、そのタンパク質の任意の特定の試料における相対発現が多くなる。
【００４９】
このデータ分析の目標は、それ由来の定量的発現レベルが再発性乳癌と非再発性乳癌試料の間の発現において有意の差を示したそれらのタンパク質を同定することであった。非再発性乳癌細胞よりも再発性乳癌細胞においてはるかに多数の特有のペプチドにより同定されるそれらのタンパク質が、侵襲性の再発性乳癌の新規バイオマーカーの最も可能性のある候補となるため、これらの基準を確立した。クラスター分析は２つの別個の群間でどのアイテムが有意に異なるかを決定する統計学的方法であり、再発性乳癌細胞と非再発性乳癌の間で差別的に発現された４１のタンパク質を同定し、これらは表１に列挙される。
【００５０】
患者組織の分析のための選択反応モニタリングアッセイ
本明細書で記載されるＳＲＭ／ＭＲＭアッセイは、表１に列挙される１つ以上のタンパク質に由来する１つ以上の特異ペプチドの相対または絶対定量的レベルを測定することができる。この方法を使用して、ある１つのペプチド、複数のペプチド、タンパク質、または複数のタンパク質の量を、患者の生物試料、例えば体液から得られるあるペプチド／タンパク質調製物またはホルマリン固定パラフィン包埋組織に由来するＬｉｑｕｉｄ  Ｔｉｓｓｕｅ（商標）ライセートでの質量分析により測定する手段を提供する。ＳＲＭ／ＭＲＭアッセイは、患者組織試料、例えばホルマリン固定癌患者組織から調製した複合タンパク質ライセート中で直接ペプチドを測定することができる。
【００５１】
ホルマリン固定組織からタンパク質試料を調製する方法は、米国特許第７，４７３，５３２号（その内容は、参照によりその全体が本明細書に組み込まれる）において記載される。その特許において記載される方法は、Ｅｘｐｒｅｓｓｉｏｎ  Ｐａｔｈｏｌｏｇｙ，Ｉｎｃ．（Ｒｏｃｋｖｉｌｌｅ，ＭＤ）から入手可能なＬｉｑｕｉｄ  Ｔｉｓｓｕｅ（商標）試薬を用いて実施することができる。
【００５２】
ＳＲＭ／ＭＲＭアッセイからの結果を使用して、ある１つのペプチド、複数のペプチド、タンパク質、または複数のタンパク質の正確で的確な定量的レベルを、生物試料が採取された患者の特定の癌と相関させることができる。これは、癌についての診断情報を提供するだけでなく、医師または他の医療専門家に患者に対する適切な療法を決定させることができる。そのようなアッセイは、罹患組織または他の患者試料、例えば体液におけるタンパク質発現レベルについての診断的にかつ治療的に重要な情報を提供し、コンパニオン診断アッセイと呼ばれる。例えば、そのようなアッセイは、癌の病期または程度を診断し、患者が応答する可能性が最も高く、前向きな結果が得られる治療薬、または療法過程を決定するように設計することができる。ＳＲＭ／ＭＲＭアッセイは、ある１つのタンパク質、またはタンパク質由来の特定の未修飾ペプチドの相対または絶対レベルを測定し、また、タンパク質由来の特定の修飾ペプチドの絶対または相対レベルを測定することができる。修飾の例としては、ペプチド上に存在するリン酸化アミノ酸残基およびグリコシル化アミノ酸残基が挙げられる。
【００５３】
ある１つのペプチド、複数のペプチド、タンパク質、または複数のタンパク質の相対定量的レベルをＳＲＭ／ＭＲＭ方法により決定し、この場合、１つの生物試料におけるある１つのタンパク質、または複数のタンパク質由来の個々のペプチド、または複数のペプチドの質量分析により誘導されたシグネチャーピーク面積（またはピークが十分、分離されている場合、ピーク高さ）が、１つ以上の追加のおよび異なる生物試料において同じ方法を用いて、同じ１つのタンパク質、または複数のタンパク質由来の同じ同一の１つのペプチド、または複数のペプチドに対して決定されたシグネチャーピーク面積と比較される。このように、ある１つのタンパク質、または複数のタンパク質由来の特定の１つのペプチド、または複数のペプチドの量は、同じ１つのタンパク質、または複数のタンパク質由来の同じ１つのペプチド、または複数のペプチドに対して、２以上の生物試料にわたって、同じ実験条件下で決定される。さらに、相対定量は単一の試料内の単一のタンパク質由来のある１つのペプチド、または複数のペプチドに対して、そのあるタンパク質に対するそのペプチドに対するシグネチャーピーク面積をＳＲＭ／ＭＲＭ方法により、生物試料由来の同じタンパク質調製物内の異なる１つのタンパク質、または複数のタンパク質由来の別の、異なる１つのペプチド、または複数のペプチドに対するシグネチャーピーク面積と比較することにより決定することができる。このように、あるタンパク質由来の特定のペプチドの量、およびよって、そのあるタンパク質の量は、同じ試料内で互いに対して決定される。これらのアプローチは、ある１つのタンパク質由来の個々の１つのペプチド、または複数のペプチドの、別の１つのペプチド、または複数のペプチドの量に対する、試料間および試料内での定量を生成させ、この場合、生物試料由来のタンパク質調製物中のペプチドの絶対重量対体積または重量対重量量に関係なく、シグネチャーピーク面積により決定される量は互いに相対的である。異なる試料間の個々のシグネチャーピーク面積についての相対定量的データを、一試料につき分析されるタンパク質の量に対して基準化させる。相対定量は、多くのペプチドにわたって同時に、単一試料において、および／または多くの試料にわたって実施することができ、相対タンパク質量、他のペプチド／タンパク質に関する１つのペプチド／タンパク質についての見識が得られる。
【００５４】
ある１つのタンパク質、または複数のタンパク質の絶対定量的レベルをＳＲＭ／ＭＲＭ方法により決定し、この場合、１つの生物試料内のあるタンパク質由来の個々のペプチドのＳＲＭ／ＭＲＭシグネチャーピーク面積が、公知の量の「添加された」内標準のＳＲＭ／ＭＲＭシグネチャーピーク面積と比較される。１つの実施形態では、内標準は、１つ以上の重同位体で標識される１つ以上のアミノ酸残基を含む同じ正確なペプチドの合成バージョンである。そのような同位体標識された内標準は、質量分析が、天然ペプチドシグネチャーピークとは異なり、区別される、予測可能な、一貫したＳＲＭ／ＭＲＭシグネチャーピークを生成させるように合成され、それは、比較器ピークとして使用することができる。よって、内標準が、公知の量で、生物試料由来のタンパク質またはペプチド調製物優に添加され、質量分析により分析される場合、天然ペプチドのシグネチャーピーク面積は、内標準ペプチドのシグネチャーピーク面積と比較され、この数値比較は、生物試料由来の元のタンパク質調製物中に存在する天然ペプチドの絶対モル濃度および／または絶対重量のいずれかを示す。断片ペプチドに対する絶対定量的データは一試料につき分析されるタンパク質の量に従い表示される。絶対定量は、多くのペプチド、よってタンパク質にわたって、単一の試料中および／または多くの試料にわたって同時に実施することができ、個々の生物試料および個々の試料のコホート全体における絶対タンパク質量についての見識が得られる。
【００５５】
ＳＲＭ／ＭＲＭアッセイ方法は、例えば、患者由来の組織、例えばホルマリン固定組織において直接、癌の病期の診断を助ける、および、その患者の治療に使用するのに最も有利である治療薬、および／または治療戦略を決定するのを助けるために使用することができる。例えば、部分または全腫瘍の治療的除去のための手術により、または疑わしい疾患の存在または非存在を決定するために実施された生検手順により、患者から除去された癌組織が分析され、１つの特異タンパク質、または複数のタンパク質、およびどの形態のタンパク質がその患者組織に存在するかどうかが決定される。さらに、１つ以上のタンパク質の発現レベルを決定し、健康な組織または癌の異なる病期／段階を示す組織において見出される「正常」または基準レベルと比較することができる。この情報はその後、病期または段階を特定の癌に割り当てるために使用することができ、決定された特異タンパク質のレベルに基づいて患者を治療するための戦略に適合させることができる。ＳＲＭ／ＭＲＭアッセイにより決定されたある１つのタンパク質、または複数のタンパク質のレベルについての特定の情報を、患者に由来する癌細胞中のこれらのタンパク質のレベルに基づく治療戦略に適合させることは、疾患治療への個別化医療アプローチと呼ばれるものを規定する。本明細書で記載されるＳＲＭ／ＭＲＭアッセイ方法は、患者自体の組織由来のタンパク質の分析を診断および治療決定のための源として使用することにより、個別化医療アプローチの基礎を形成する。本明細書で記載されるＳＲＭ／ＭＲＭ法を使用して、表１のタンパク質を特異的にアッセイすることができる。
【００５６】
本発明について、そのある実施形態に関連して記載してきたが、多くの詳細は、説明目的のために記載されたものであり、本発明は追加の実施形態を起こしやすいこと、および本明細書で記載される詳細のいくつかは本明細書で記載される発明の基本原理から逸脱せずにかなり変更され得ることは当業者には明らかであろう。
【配列表】
2014502729000001.app
【国際調査報告】
2014502729.tif 000004